(57)【要約】【課題】本発明は装身具の装着部材に関するものであり、装着部材のみを部品化し、これを各種の装身具の装着部位に適用できるようにしたものである。【解決手段】突片及び平行片を備えた第１及び第２部材と、当該突片及び平行片に軸ピン貫通穴を形成して連結構造とし、突片に形成した貫通穴内にコイルスプリングが収容しつつこれを貫通して軸ピンを挿入し、当該コイルスプリングの両端は第１部材及び第２部材に掛止して弾発的に連結状態を保つようになし、更に第１部材及び第２部材には装飾部材との接続片を備えた装身具の装着部材。Ａ‥装着部材、１‥第１部材、２‥第２部材、１ａ、２ａ‥溝、５‥突片、６‥平行片、７、８‥貫通穴、９‥軸ピン、１０‥コイルスプリング、２０‥接続片、３１、３２‥装飾部材、４０‥装飾部材側の接続片。【選択図】図１
2004173996.tif 000002
【特許請求の範囲】
【請求項１】
突片を備えた第１部材と、平行片を備えた第２部材と、これらの突片と平行片が噛み合わせ可能な構造となし、突片及び平行片に貫通穴を形成して軸ピンが挿入される連結構造とし、突片に形成した貫通穴は弾力性を付与するコイルスプリングが収容される大きさとし、この貫通穴内にコイルスプリングを収容しつつこれを貫通して軸ピンを挿入し、当該コイルスプリングの両端は突片の左右より突出し、この部位を第１部材及び第２部材に掛止して弾発的に連結状態を保つようになし、更に、第１部材及び第２部材には装飾部材との接続片を備えたことを特徴とする装身具の装着部材。
【発明の詳細な説明】
【０００１】
【発明の属する技術分野】
本発明は装身具の装着部材に関するものであり、具体的には、装身部を二分し両者がコイルスプリングにて弾力的に装着されるイヤリング又はピアスイヤリング等の装身具（以下、単にイヤリングという）に用いられる装着部材に係るものである。
【０００２】
【従来の技術】
以下、イヤリングを代表して本発明を説明するが、本発明がこれに限定されないことは勿論である。さて、装身部を二分されたイヤリング本体をコイルスプリングにて弾発的に装着する構造のイヤリングは、特許文献１や特許文献２に開示されている。通常は二分された装身部の一方端を耳当て部とし、他方端を相互の連結部とされるもので、連結に供される軸ピンにコイルスプリングが貫通され、このコイルスプリングの両端を夫々の端部に掛止して耳当て部側を常に閉じるように弾発力を付与した構造となっている。
【０００３】
しかるに、特許文献１で提案されている発明は、コイルスプリングが外側より見える状態となっており、装身具であるイヤリングとしては見栄えの良いものとは言えない。
【０００４】
又、特許文献２で提案されている発明は、確かにコイルスプリングは外から見えないものの、その構造はイヤリングに一体化されて用いられ、この装着構造を他の装身具に転用することは全く考えられていない。
【０００５】
しかるに、本出願人は特許文献３で新規なイヤリングの構造を提案している。即ち、通常のイヤリングを耳たぶに装着する場合には、両手にてイヤリング本体の両方を持ち、これを広げつつ耳たぶに装着するものであり、両手を使用しなくては装着できないという不便さがある。この点、特許文献３でされている発明は構造上コイルスプリングは外部から見えず、しかも装着時に片手で簡単に装着できる構造としたものである。しかしながら、この構造もイヤリングの装飾部に一体化されており、他の装身具にこれを転用しようとすることは全く考えられていない。
【０００６】
【特許文献１】実開昭６１ー１６５６１５号の第１図
【特許文献２】実用新案登録第３０３４２２７号の第２図、第３図
【特許文献３】特願２００１ー２４１５２７号
【０００７】
【発明が解決しようとする課題】
本発明は以上の従来技術に鑑みてなされたものであって、イヤリングの装着部材のみを部品化し、これを各種の装身具の装着部位に適用できるようにしたものである。
【０００８】
【課題を解決するための手段】
本発明の要旨は、突片を備えた第１部材と、平行片を備えた第２部材と、これらの突片と平行片が噛み合わせ可能な構造となし、突片及び平行片に貫通穴を形成して軸ピンが挿入される連結構造とし、突片に形成した貫通穴は弾力性を付与するコイルスプリングが収容される大きさとし、この貫通穴内にコイルスプリングを収容しつつこれを貫通して軸ピンを挿入し、当該コイルスプリングの両端は突片の左右より突出し、この部位を第１部材及び第２部材に掛止して弾発的に連結状態を保つようになし、更に、第１部材及び第２部材には装飾部材との接続片を備えたことを特徴とする装身具の装着部材に係るものである。
【０００９】
【発明の実施の形態】
本発明は、以上の構造を有する装身具の装着部材であって、第１部材の突片内にコイルスプリングが収容されたことにより内周側或いは外周側より見えることがなくなったものである。そして、このコイルスプリングの両端を突片の左右より突出し、この部位を第１部材及び第２部材に掛止して弾発力を保持したものである。
【００１０】
そして、第１部材及び第２部材に装飾部材に対して接続片を夫々備えたものである。即ち、本発明にあっては、イヤリングにて代表される装身具の回転部位にこれを適用するものであり、このため、装飾部材との接続片を備えたのである。従って、基本的にはいかなるイヤリングにも利用可能である。従来のイヤリングにあっては、装飾部材の連結側端部に連結のための突片や平行片、更にはピンを通す穴等を形成しなければならず、装飾部材に傷等を付けないように極めて慎重に作業がなされていた。そして、これらの作業が複雑であるばかりではなく、失敗は許されず、コストが高くつくものであったが、本発明はこれらの各課題を解決したものである。
【００１１】
さて、本発明の装身具の装着部材は、二つの装身具の連結部材として用いられるものであり、装飾部材とは別に大量に製造され、これを必要な都度用いるものであり、慎重に取り扱われなくてはならない装飾部材とは全く別個に作成されるものである。装飾部材とは接続片をもって連結されるだけであり、その作業性は比較的容易である。
【００１２】
第１部材及び第２部材は夫々装飾部材との接続に供されるものであり、それ自体装飾材を構成するものであってもよく、好ましくは、接続される装飾部材と装飾の点で遜色のないものが良い。
【００１３】
【実施例】
以下、本発明の装着部材Ａの１例を図面をもって説明する。図１は本発明の装着部材の内周側平面図、図２は中央断面図、図３は分解図である。
【００１４】
符号１、２は第１部材及び第２部材であり、第１部材１には突片５が、そして第２部材２にはこの突片５と咬み合わせ可能とした平行片６、６を形成したものである。この突片５と平行片６、６には貫通穴７、８が穿孔され、ここに軸ピン９が嵌め込まれる。
【００１５】
その際、突片５の貫通穴７は軸ピン９の太さよりも大きめの穴とされたものであり、コイルスプリング１０の外径よりも大きな穴とされている。そして、コイルスプリング１０を貫通穴７内に入れた状態にて軸ピン９が嵌め込まれ、コイルスプリング１０が同時に貫通されることになる。次いで、かかるコイルスプリング１０の先端１０ａ、１０ｂを夫々第１部材１及び第２部材２の内側に形成した溝１ａ、２ａ内に掛止されるもので、これによって第１部材１及び第２部材２の弾発力を保持したものである。即ち、図にあってＸ方向に開くことができるが、内蔵してあるコイルスプリング１０の弾発性によってＸ方向に開いた際にはＹ方向に閉じる機能がもたらされるものである。
【００１６】
このように構成したことにより、装着部材Ａの内周側からも外周側からもコイルスプリングが見えないという特徴を有しており、装身具における部材としては見栄えの点で大きな特徴がある。
【００１７】
さて、装着部材Ａの第１部材１及び第２部材２は比較的短体であり、突片５、平行片６と反対側に溶接片２０が形成されたものである。かかる溶接片２０は装飾部材３１、３２側の所定の位置、例えば接続片４０と一体に接続されるものであり、図４は各部位が接続されて完成されたイヤリングの側面図である。尚、これらの接続は一般にはロ−付けにて接続されるが、場合によってはエポキシ樹脂等の接着剤によって接続されてもよい。
【００１８】
本発明の装着部材Ａを用いたイヤリングは、コイルスプリング１０によって常に弾発性が保持されることになり、かつこのコイルスプリング１０は外部から見えないという特徴を持っている。そして、装飾部材３１、３２はＸ方向に開くがＹ方向へ戻ろうとする弾発性が生じ、耳たぶへの装着がなされることになる。
【００１９】
尚、夫々の接続片２０、４０は接続し易い位置に備えられるのが良いが、外側より見えない位置に備えられて溶接されるのが良いことは言うまでもない。図５〜図６は種々の接続片２０、４０を示すがこれらに限定されないことは勿論である。図５に示す例は溶接片が側面視で水平面をなしている例であり、図６は側面視で垂直面をなしている例である。尚、図中、ａは接続面を示す。
【００２０】
尚、軸ピン９について述べれば、以上の実施例は他の部材と独立した軸ピン９をもって各部材を軸支したものであるが、これに限るものではなく、特定の部材と一体となった軸ピンであってもよい。図７の（ａ）は軸ピン９が平行片６に分割して（９ａ、９ｂ）ロ−付け等にて一体に取り付けられたものであり、平行片６は当初はある程度開脚しており、コイルスプリング１０の中心に軸ピン９を挿入してから片６を加締めることによって閉じ、本来の平行片６とすると共に、軸ピン９をもってコイルスプリング１０を支持するものである。図７の（ｂ）は平行片６の一方側に軸ピン９ｃをロ−付けしたものである。
【００２１】
本発明の装身具の装着部材Ａにあっては、イヤリングの耳たぶを挟む力を与える部位を司るものであり、第１部材及び第２部材に何を接続してもよく、装身具の装着部材としてイヤリングは勿論であるが、いかなる装身具にも適用可能となったものである。
【００２２】
【発明の効果】
以上の通り、本発明の装身具の装着部材はいかなる装身具にも適用可能であり、従来のように装飾体その物に加工を加えることは必要がなくなるというメリットを持っている。更に装着部材としては内蔵するコイルスプリングは内外からは見ることができず、極めて見栄えが良くなったもので、その用途はイヤリングのみならず多様である。
【図面の簡単な説明】
【図１】図１は本発明の装着部材の内側平面図である。
【図２】図２は図１の装着部材の中央断面図である。
【図３】図３は図１の装着部材の分解図である。
【図４】図４は本発明の装着部材を用いたイヤリングの側面図である。
【図５】図５は接続片の例を示す側面図である。
【図６】図６は接続片の他の例を示す内側平面図である。
【図７】図７は軸ピンの他の形状を示す側面図である。
【符号の説明】
１、２‥第１部材及び第２部材、
１ａ、２ａ‥イヤリング本体の溝、
５‥突片、
６‥平行片、
７、８‥貫通穴、
９‥軸ピン、
１０‥コイルスプリング、
１０ａ、１０ｂ‥コイルスプリングの先端、
２０‥接続片、
３１、３２‥装飾部材、
４０‥装飾部材側の接続片、
Ａ‥装着部材、
ａ‥接続面。
【図１】
2004173996.tif 000003
【図２】
2004173996.tif 000004
【図３】
2004173996.tif 000005
【図４】
2004173996.tif 000006
【図５】
2004173996.tif 000007
【図６】
2004173996.tif 000008
【図７】
2004173996.tif 000009